(57)【要約】【課題】情報処理装置の構成に関わらず、立ち上げを高速化する。【解決手段】情報処理装置１００は、オペレーティングシステムの起動に用いる拡張カードの所在を示すブートパスを記憶するブートパス記憶部から、自動起動を行うオペレーティングシステムのブートパスを取得するブートパス取得部と、ブートパス取得部が取得したブートパスが示す拡張カードを初期化する初期化部とを備える。【選択図】図５
2014170271.tif 000002
【特許請求の範囲】
【請求項１】
オペレーティングシステムの起動に用いる拡張カードの所在を示すブートパスを記憶するブートパス記憶部から、自動起動を行うオペレーティングシステムのブートパスを取得するブートパス取得部と、
前記ブートパス取得部が取得したブートパスが示す拡張カードを初期化する初期化部と
を備えることを特徴とする情報処理装置。
【請求項２】
前記ブートパス取得部が取得したブートパスが示す拡張カード以外の拡張カードとの接続を論理的に切断する切断部を備え、
前記初期化部は、論理的に接続されている拡張カードを初期化することで、前記ブートパス取得部が取得したブートパスが示す拡張カードを初期化する
ことを特徴とする請求項１に記載の情報処理装置。
【請求項３】
前記初期化部が前記拡張カードを初期化した後に、前記切断部によって論理的に切断された拡張カードを論理的に接続する接続部
を備えることを特徴とする請求項２に記載の情報処理装置。
【請求項４】
オペレーティングシステムの起動に用いる拡張カードの所在を示すブートパスを記憶するブートパス記憶部から、自動起動を行うオペレーティングシステムのブートパスを取得するブートパス取得部と、
前記ブートパス取得部が取得したブートパスが示す拡張カード以外の拡張カードとの接続を論理的に切断する切断部と
を備えることを特徴とする情報処理装置。
【請求項５】
論理的に接続された前記拡張カードが初期化された後に、前記切断部によって論理的に切断された拡張カードを論理的に接続する接続部
を備えることを特徴とする請求項４に記載の情報処理装置。
【請求項６】
情報処理装置による拡張カードの初期化方法であって、
前記情報処理装置が、オペレーティングシステムの起動に用いる拡張カードの所在を示すブートパスを記憶するブートパス記憶部から、自動起動を行うオペレーティングシステムのブートパスを取得するステップと、
前記情報処理装置が、前記取得したブートパスが示す拡張カードを初期化するステップと
を有することを特徴とする初期化方法。
【請求項７】
コンピュータを、
オペレーティングシステムの起動に用いる拡張カードの所在を示すブートパスを記憶するブートパス記憶部から、自動起動を行うオペレーティングシステムのブートパスを取得するブートパス取得部、
前記ブートパス取得部が取得したブートパスが示す拡張カードを初期化する初期化部
として機能させるためのプログラム。
【請求項８】
情報処理装置による拡張カードの初期化の前処理方法であって、
前記情報処理装置が、オペレーティングシステムの起動に用いる拡張カードの所在を示すブートパスを記憶するブートパス記憶部から、自動起動を行うオペレーティングシステムのブートパスを取得するステップと、
前記情報処理装置が、前記ブートパス取得部が取得したブートパスが示す拡張カード以外の拡張カードとの接続を論理的に切断するステップと
を有することを特徴とする前処理方法。
【請求項９】
コンピュータを、
オペレーティングシステムの起動に用いる拡張カードの所在を示すブートパスを記憶するブートパス記憶部から、自動起動を行うオペレーティングシステムのブートパスを取得するブートパス取得部、
前記ブートパス取得部が取得したブートパスが示す拡張カード以外の拡張カードとの接続を論理的に切断する切断部
として機能させるためのプログラム。
【発明の詳細な説明】
【技術分野】
【０００１】
本発明は、情報処理装置、当該情報処理装置の拡張カードの初期化方法、当該拡張カードの初期化の前処理方法、及びプログラムに関する。
【背景技術】
【０００２】
コンピュータにおいて、立ち上げ処理を可能な限り高速化することが望まれている。コンピュータには、ＰＣＩ（Ｐｅｒｉｐｈｅｒａｌ  Ｃｏｍｐｏｎｅｎｔ  Ｉｎｔｅｒｃｏｎｎｅｃｔ）カードなどの拡張カードを搭載するものがあり、このようなコンピュータにおいては、立ち上げ処理時に当該拡張カードの初期化を行う必要がある。拡張カードの初期化処理は、立ち上げ処理を遅延させる１つの要因となっている。
【０００３】
特許文献１には、Ｐｅｅｒ−Ｔｏ−Ｐｅｅｒで接続されるＩＯＨ（Ｉｎｐｕｔ／Ｏｕｔｐｕｔ  Ｈｕｂ）にのみアクセス可能となるようにルーティングを行い、当該ＩＯＨ配下に存在する拡張カードのみを初期化することで、立ち上げを高速化する技術が開示されている。
【先行技術文献】
【特許文献】
【０００４】
【特許文献１】特開２０１０−１８２２２５号公報
【発明の概要】
【発明が解決しようとする課題】
【０００５】
しかしながら、特許文献１に開示された発明は、マルチプロセッサかつマルチセグメントの構成を有する装置においては、立ち上げを高速化することができるが、このような構成を有しない装置においては、立ち上げを高速化することができない。
本発明の目的は、上述した課題を解決する情報処理装置、初期化方法、前処理方法、及びプログラムを提供することにある。
【課題を解決するための手段】
【０００６】
本発明は上記の課題を解決するためになされたものであり、オペレーティングシステムの起動に用いる拡張カードの所在を示すブートパスを記憶するブートパス記憶部から、自動起動を行うオペレーティングシステムのブートパスを取得するブートパス取得部と、前記ブートパス取得部が取得したブートパスが示す拡張カードを初期化する初期化部とを備えることを特徴とする情報処理装置である。
【０００７】
また、本発明は、オペレーティングシステムの起動に用いる拡張カードの所在を示すブートパスを記憶するブートパス記憶部から、自動起動を行うオペレーティングシステムのブートパスを取得するブートパス取得部と、前記ブートパス取得部が取得したブートパスが示す拡張カード以外の拡張カードとの接続を論理的に切断する切断部とを備えることを特徴とする情報処理装置である。
【０００８】
また、本発明は、情報処理装置による拡張カードの初期化方法であって、前記情報処理装置が、オペレーティングシステムの起動に用いる拡張カードの所在を示すブートパスを記憶するブートパス記憶部から、自動起動を行うオペレーティングシステムのブートパスを取得するステップと、前記情報処理装置が、前記取得したブートパスが示す拡張カードを初期化するステップとを有することを特徴とする。
【０００９】
また、本発明は、コンピュータを、オペレーティングシステムの起動に用いる拡張カードの所在を示すブートパスを記憶するブートパス記憶部から、自動起動を行うオペレーティングシステムのブートパスを取得するブートパス取得部、前記ブートパス取得部が取得したブートパスが示す拡張カードを初期化する初期化部として機能させるためのプログラムである。
【００１０】
また、本発明は、情報処理装置による拡張カードの初期化の前処理方法であって、前記情報処理装置が、オペレーティングシステムの起動に用いる拡張カードの所在を示すブートパスを記憶するブートパス記憶部から、自動起動を行うオペレーティングシステムのブートパスを取得するステップと、前記情報処理装置が、前記ブートパス取得部が取得したブートパスが示す拡張カード以外の拡張カードとの接続を論理的に切断するステップとを有することを特徴とする。
【００１１】
また、本発明は、コンピュータを、オペレーティングシステムの起動に用いる拡張カードの所在を示すブートパスを記憶するブートパス記憶部から、自動起動を行うオペレーティングシステムのブートパスを取得するブートパス取得部、前記ブートパス取得部が取得したブートパスが示す拡張カード以外の拡張カードとの接続を論理的に切断する切断部として機能させるためのプログラムである。
【発明の効果】
【００１２】
本発明によれば、情報処理装置の構成に関わらず、立ち上げを高速化することができる。
【図面の簡単な説明】
【００１３】
【図１】本発明の一実施形態による情報処理装置のハードウェア構成を示す概略ブロック図である。
【図２】ＢＩＯＳを実行したときのＣＰＵのソフトウェア構成を示す概略ブロック図である。
【図３】情報処理装置の起動方法を示すフローチャートである。
【図４】ＯＳを実行したときのＣＰＵのソフトウェア構成を示す概略ブロック図である。
【図５】本発明に係る情報処理装置の第１の基本構成を示す概略ブロック図である。
【図６】本発明に係る情報処理装置の第２の基本構成を示す概略ブロック図である。
【発明を実施するための形態】
【００１４】
以下、図面を参照しながら本発明の実施形態について詳しく説明する。
図１は、本発明の一実施形態による情報処理装置１００のハードウェア構成を示す概略ブロック図である。
本実施形態に係る情報処理装置１００は、不揮発メモリ１１０、ＣＰＵ１２０、メモリ１３０、ルートポート１４０、複数の拡張カード１５０−１〜１５０−Ｎ（以降、拡張カード１５０−１〜１５０−Ｎを総称する場合、拡張カード１５０という）を備える。
【００１５】
不揮発メモリ１１０は、情報処理装置１００のＢＩＯＳ（Ｂａｓｉｃ  Ｉｎｐｕｔ／Ｏｕｔｐｕｔ  Ｓｙｓｔｅｍ）（プログラム）、自動起動を行うＯＳ（Ｏｐｅｒａｔｉｎｇ  Ｓｙｓｔｅｍ：オペレーティングシステム）を示す自動起動情報、及びＯＳごとのブートパスを記憶する。つまり、不揮発メモリ１１０は、ブートパスを記憶するブートパス記憶部の一例である。なお、ブートパスとは、ＯＳの起動に用いる拡張カード１５０の所在を示す情報である。つまり、ＯＳは、拡張カード１５０に接続された外部記憶媒体（ストレージやディスク）に格納される。
ＣＰＵ１２０は、不揮発メモリ１１０が記憶するＢＩＯＳを実行し、拡張カード１５０を初期化してＯＳを起動する。
メモリ１３０は、ＣＰＵ１２０が実行する処理の用に供する情報を記憶する。
ルートポート１４０は、複数の拡張カード１５０とＣＰＵ１２０との接続を仲介し、配下の拡張カード１５０とＣＰＵ１２０とを論理的に接続する（Ｅｎａｂｌｅ）か、切断する（Ｄｉｓａｂｌｅ）かを拡張カード１５０ごとに記憶するリンクレジスタを備える。
拡張カード１５０は、情報処理装置１００の機能を拡張するカードであって、自身のＰＯＳＴ（Ｐｏｗｅｒ  Ｏｎ  Ｓｅｌｆ  Ｔｅｓｔ）（初期化）に用いる初期化プログラムを記憶するオプションＲＯＭ１５１を備える。なお、拡張カード１５０としては、例えばＰＣＩカードが用いられる。
【００１６】
次に、本実施形態に係るＢＩＯＳについて説明する。
図２は、ＢＩＯＳを実行したときのＣＰＵ１２０のソフトウェア構成を示す概略ブロック図である。
ＣＰＵ１２０は、不揮発メモリ１１０が記憶するＢＩＯＳを実行すると、Ｉ／Ｏ部１２１（Ｉｎｐｕｔ／Ｏｕｔｐｕｔ）、自動起動判定部１２２、ブートパス解析部１２３、リンクレジスタ設定部１２４、ＰＯＳＴ実行部１２５を備える。
【００１７】
Ｉ／Ｏ部１２１は、不揮発メモリ１１０から情報を読み出す。また、Ｉ／Ｏ部１２１は、不揮発メモリ１１０に情報を書き込む。なお、Ｉ／Ｏ部１２１は、不揮発メモリ１１０から自動起動を行うＯＳのブートパスを取得するブートパス取得部の一例である。
自動起動判定部１２２は、Ｉ／Ｏ部１２１が不揮発メモリ１１０から読み出した自動起動情報に基づいて、自動起動するＯＳがあるか否かを判定する。
ブートパス解析部１２３は、Ｉ／Ｏ部１２１が不揮発メモリ１１０から読み出したブートパスを解析し、ＯＳの起動に用いる拡張カード１５０を特定する。
リンクレジスタ設定部１２４は、ルートポート１４０のリンクレジスタを書き換える。なお、リンクレジスタ設定部１２４は、ブートパスが示す拡張カード１５０以外の拡張カード１５０との接続を論理的に切断する切断部、及び拡張カード１５０の初期化後に論理的に切断された拡張カード１５０を論理的に接続する接続部の一例である。
ＰＯＳＴ実行部１２５は、ルートポート１４０のリンクレジスタの値がＥｎａｂｌｅを示す拡張カード１５０に対してＰＯＳＴを実行する。つまり、ＰＯＳＴ実行部１２５は、ブートパスが示す拡張カード１５０を初期化する初期化部の一例である。
【００１８】
次に、本実施形態に係る情報処理装置１００の起動方法について説明する。
図３は、情報処理装置１００の起動方法を示すフローチャートである。
まず、情報処理装置１００のＣＰＵ１２０は、不揮発メモリ１１０からＢＩＯＳを読み出し、バスリソースの割り当て及び拡張カード１５０とのリンク接続を行うことで、ＢＩＯＳを立ち上げる（ステップＳ１）。なお、本ステップの処理は、ミリ秒オーダーで実行されるため、拡張カード１５０の搭載枚数による立ち上げ時間への影響は軽微である。
【００１９】
ＣＰＵ１２０がＢＩＯＳを立ち上げると、ＣＰＵ１２０のＩ／Ｏ部１２１は、不揮発メモリ１１０から自動起動情報を読み出す（ステップＳ２）。次に、自動起動判定部１２２は、Ｉ／Ｏ部１２１が読み出した自動起動情報が有効な値を示すか否かを判定する（ステップＳ３）。
【００２０】
自動起動判定部１２２が、自動起動情報が有効な値を示すと判定した場合、すなわち自動起動情報が自動起動を行うＯＳの情報を示す場合（ステップＳ３：ＹＥＳ）、Ｉ／Ｏ部１２１は、不揮発メモリ１１０から自動起動情報が示すＯＳに関連付けられたブートパスを読み出す（ステップＳ４）。
【００２１】
次に、ブートパス解析部１２３は、Ｉ／Ｏ部１２１が読み出したブートパスを解析し、ＯＳの起動に用いる拡張カード１５０を特定する（ステップＳ５）。具体的には、Ｉ／Ｏ部１２１が取得したブートパスは、以下に示すようなフォーマットで記載されている。
【００２２】
ＡｃｐｉＥｘ（ＰＮＰ０Ａ０８，ＰＮＰ０Ａ０３，０ｘ０）／Ｐｃｉ（０ｘ１，０ｘ０）／Ｐｃｉ（０ｘ０，０ｘ０）／ＳＡＳ（０ｘ５０００Ｃ５００３ＡＢ０４Ｆ４Ｄ，０ｘ０，０ｘ１，ＮｏＴｏｐｏｌｏｇｙ，０，０，０，０ｘ０）／ＨＤ（１，ＧＰＴ，５７４８ＥＤ９４−２７Ａ６−１１Ｅ１−８０００−Ｄ６２１７Ｂ６０Ｅ５８８，０ｘ４０，０ｘＦ９ＦＣ０）
【００２３】
ここで、ＡｃｐｉＥｘ（ＰＮＰ０Ａ０８，ＰＮＰ０Ａ０３，０ｘ０）はＵＩＤが０（０ｘ０）のルートポート１４０（ＰＮＰ０Ａ０８）を示している。また、ＰＣＩ（０ｘ１，０ｘ０）はデバイス番号１（０ｘ１）、ファンクション番号０（０ｘ０）に該当するＰＣＩカード３４ｎ（拡張カード１５０）を示している。
【００２４】
ブートパス解析部１２３は、このブートパスにて示されたＵＩＤのルートポート１４０配下に接続され、デバイス番号、ファンクション番号が一致する位置に搭載された拡張カード１５０を、ＯＳの起動に用いる拡張カード１５０として特定する。
【００２５】
ブートパス解析部１２３がＯＳの起動に用いる拡張カード１５０を特定すると、リンクレジスタ設定部１２４は、ルートポート１４０のリンクレジスタが記憶する、ブートパス解析部１２３が特定した拡張カード１５０以外の拡張カード１５０の接続情報を、すべてＤｉｓａｂｌｅに書き換える。つまり、リンクレジスタ設定部１２４は、ブートパス解析部１２３が特定した拡張カード１５０以外の拡張カード１５０を論理的に切断する（ステップＳ６）。なお、リンクレジスタ設定部１２４による拡張カード１５０の論理的切断は、例えば拡張カード１５０がＰＣＩカードである場合、ＰＣＩ  Ｈｏｔ  Ｄｅｌｅｔｅ等の処理を行うことで実願できる。これにより、ＯＳの起動に用いるブートパスに該当しない拡張カード１５０のオプションＲＯＭ１５１による拡張カード１５０の初期化処理は、行われなくなる。
【００２６】
次に、ＰＯＳＴ実行部１２５は、ルートポート１４０のリンクレジスタが記憶する接続情報がＥｎａｂｌｅを示す（論理的に接続されている）拡張カード１５０からオプションＲＯＭ１５１を読み出し、当該オプションＲＯＭ１５１に格納された初期化プログラムを順次実行する（ステップＳ７）。このとき、ＰＯＳＴ実行部１２５は、初期化対象の拡張カード１５０に接続された外部記憶媒体のスキャン処理を行う。なお、本ステップの処理は、数秒から数十秒のオーダーで実行されるため、拡張カード１５０の搭載枚数による立ち上げ時間への影響が大きい。
【００２７】
ＰＯＳＴ実行部１２５が、ルートポート１４０のリンクレジスタが記憶する接続情報がＥｎａｂｌｅを示す拡張カード１５０の全てについて初期化を完了すると、リンクレジスタ設定部１２４は、ステップＳ６で接続情報をＤｉｓａｂｌｅに書き換えた拡張カード１５０の接続情報を、Ｅｎａｂｌｅに書き換える。つまり、リンクレジスタ設定部１２４は、ブートパス解析部１２３が特定した拡張カード１５０以外の拡張カード１５０を論理的に接続する（ステップＳ８）。なお、リンクレジスタ設定部１２４による拡張カード１５０の論理的接続は、例えば拡張カード１５０がＰＣＩカードである場合、ＰＣＩ  Ｈｏｔ  Ａｄｄ等の処理を行うことで実願できる。これにより、情報処理装置１００の運用中に、当該拡張カード１５０を使用することができるようになる。そして、ＣＰＵ１２０は、拡張カード１５０に接続された外部記憶媒体からＯＳを読み出し、当該ＯＳを起動する（ステップＳ９）。
【００２８】
他方、ステップＳ３で自動起動判定部１２２が、自動起動情報が無効な値（例えばＮＵＬＬ値や、自動起動を行わないことを示す所定の値）を示すと判定した場合（ステップＳ３：ＮＯ）、ＰＯＳＴ実行部１２５は、ルートポート１４０のリンクレジスタが記憶する接続情報がＥｎａｂｌｅを示す（論理的に接続されている）拡張カード１５０からオプションＲＯＭ１５１を読み出し、当該オプションＲＯＭ１５１に格納された初期化プログラムを順次実行する（ステップＳ１０）。そして、ＣＰＵ１２０は、拡張カード１５０に接続された外部記憶媒体からＯＳを読み出し、当該ＯＳを起動する（ステップＳ９）。
【００２９】
図４は、ＯＳを実行したときのＣＰＵ１２０のソフトウェア構成を示す概略ブロック図である。
なお、ＣＰＵ１２０は、ＯＳを起動すると、ＢＩＯＳの構成に加え、ブートパス登録部１２６と、自動起動設定部１２７とを備える。
ブートパス登録部１２６は、当該ＯＳを起動するために用いる拡張カード１５０の所在を示すブートパスを、Ｉ／Ｏ部１２１を介して不揮発メモリ１１０に登録する。
自動起動設定部１２７は、当該ＯＳを自動起動させる場合に、不揮発メモリ１１０が記憶する自動起動情報を、当該ＯＳの情報に書き換える。
つまり、不揮発メモリ１１０が記憶する自動起動情報は、ＣＰＵ１２０がＯＳを起動した後に、当該ＯＳの機能によって登録されるものである。
【００３０】
このように、本実施形態によれば、情報処理装置１００は、不揮発メモリ１１０から自動起動を行うＯＳのブートパスを取得し、当該ブートパスが示す拡張カード１５０を初期化する。つまり、情報処理装置１００は、ＯＳの起動に要する最小限の拡張カード１５０の起動を行う。具体的には、情報処理装置１００は、拡張カード１５０の初期化の前処理として、情報処理装置１００は、自動起動を行うＯＳの起動に用いる拡張カード１５０以外の拡張カード１５０を論理的に切断する。これにより、情報処理装置１００の構成に関わらず、立ち上げを高速化することができる。
【００３１】
また、本実施形態によれば、情報処理装置１００は、拡張カード１５０の初期化の前処理において論理的に切断した拡張カード１５０を、初期化後に論理的に接続する。これにより、情報処理装置１００は、ＯＳの起動中および起動後に、当該拡張カード１５０を使用することができるようになる。
【００３２】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、情報処理装置１００がルートポート１４０を１つ備える構成について説明したが、これに限られず、情報処理装置１００は、複数のルートポート１４０を備えるものであっても良い。
【００３３】
また、本実施形態では、ＰＯＳＴ実行部１２５が、リンクレジスタが記憶する接続情報がＥｎａｂｌｅを示す拡張カード１５０の初期化プログラムを順次実行する場合について説明したが、これに限られない。例えば、ＰＯＳＴ実行部１２５は、ある拡張カード１５０を初期化するときに、当該初期化プログラムを記憶する拡張カード１５０と同種の拡張カード１５０であってリンクレジスタが記憶する接続情報がＥｎａｂｌｅを示す他の拡張カード１５０がある場合、同じ初期化プログラムを用いて当該他の拡張カード１５０を初期化しても良い。これにより、同種の初期化プログラムが何度も起動されることを防ぐことができる。
【００３４】
また、本実施形態では、ＢＩＯＳが不揮発メモリ１１０に記憶される場合について説明したが、ＢＩＯＳが通信回線によって情報処理装置１００に配信され、この配信を受けた情報処理装置１００が当該ＢＩＯＳを実行するようにしても良い。
【００３５】
また、本実施形態では、ＢＩＯＳが上述した機能を実現するためのプログラムである場合について説明したが、これに限られない。例えば、不揮発メモリ１１０が、上述した機能の一部（例えば、自動起動判定部１２２とブートパス解析部１２３とリンクレジスタ設定部１２４）を実現するためのプログラムと一般的なＢＩＯＳとを記憶しており、これらを組み合わせることによって情報処理装置１００が上述した機能を実現しても良い。つまり、不揮発メモリ１１０は、上述した機能の一部を、いわゆる差分ファイル（差分プログラム）として記憶するものであっても良い。
【００３６】
《第１の基本構成》
図５は、本発明に係る情報処理装置１００の第１の基本構成を示す概略ブロック図である。
上述した実施形態では、本発明に係る情報処理装置１００の一実施形態として図２に示す構成について説明したが、本発明に係る情報処理装置１００の基本構成は、図５に示すとおりである。
すなわち、本発明による情報処理装置１００は、ブートパス取得部と初期化部を基本構成とする。
【００３７】
ブートパス取得部は、ＯＳの起動に用いる拡張カード１５０の所在を示すブートパスを記憶するブートパス記憶部（図示せず）から、自動起動を行うＯＳのブートパスを取得する。なお、ブートパス記憶部は、情報処理装置１００の内部に備えられるものであっても、外部に備えられるものであっても良い。また、初期化部は、ブートパス取得部が取得したブートパスが示す拡張カード１５０を初期化する。
これにより、情報処理装置１００は、構成に関わらず、立ち上げを高速化することができる。
【００３８】
《第２の基本構成》
図６は、本発明に係る情報処理装置１００の第２の基本構成を示す概略ブロック図である。
本発明に係る情報処理装置１００の基本構成としては、図６に示すものも挙げられる。すなわち、本発明による情報処理装置１００は、ブートパス取得部と切断部を基本構成とするものであっても良い。
【００３９】
切断部は、ブートパス取得部が取得したブートパスが示す拡張カード１５０以外の拡張カード１５０との接続を論理的に切断する。
これにより、情報処理装置１００は、構成に関わらず立ち上げを高速化するための、初期化の前処理を行うことができる。
【符号の説明】
【００４０】
１００…情報処理装置  １１０…不揮発メモリ  １２０…ＣＰＵ  １２１…Ｉ／Ｏ部  １２２…自動起動判定部  １２３…ブートパス解析部  １２４…リンクレジスタ設定部  １２５…ＰＯＳＴ実行部  １２６…ブートパス登録部  １２７…自動起動設定部  １３０…メモリ  １４０…ルートポート  １５０…拡張カード  １５１…オプションＲＯＭ
【図１】
2014170271.tif 000003
【図２】
2014170271.tif 000004
【図３】
2014170271.tif 000005
【図４】
2014170271.tif 000006
【図５】
2014170271.tif 000007
【図６】
2014170271.tif 000008